(57)【要約】【課題】医用画像のアクセスを容易にする医用装置を提供すること。【解決手段】実施形態の医用装置は、複数のファイルセットで構成される外部保存メディアに対して、この外部保存メディア内の所望のファイルセットに統合的にアクセスするための静的なディレクトリ位置を表す統合化宛先を設定する統合化宛先設定部と、前記統合化宛先配下のファイルセットの宛先を動的に取得するファイルセット動的取得部と、前記統合化宛先、もしくは前記ファイルセット動的取得部で取得したファイルセットの宛先をリスト表示する宛先リスト表示部と、を有する。【選択図】図１
2015041129.tif 000002
【特許請求の範囲】
【請求項１】
複数のファイルセットで構成される外部保存メディアに対して、この外部保存メディア内の所望のファイルセットに統合的にアクセスするための静的なディレクトリ位置を表す統合化宛先を設定する統合化宛先設定部と、
前記統合化宛先配下のファイルセットの宛先を動的に取得するファイルセット動的取得部と、
前記統合化宛先、もしくは前記ファイルセット動的取得部で取得したファイルセットの宛先をリスト表示する宛先リスト表示部と、
を有する医用装置。
【請求項２】
前記ファイルセット動的取得部は、前記外部保存メディア内のディレクトリ構成を読み出し、このディレクトリ構成から前記統合化宛先配下に存在するインデックスファイルを検索し、このインデックスファイルと、インデックスファイルに関連付けられたファイルで構成されるファイルセットの宛先を動的に取得する請求項１記載の医用装置。
【請求項３】
前記外部保存メディア内の統合化宛先配下のファイルセットに対し、保存タスクに従って医用情報ファイルを保存する画像保存部と、
前記保存タスクに対して保存ルールを設定する保存ルール設定部と、をさらに有する請求項１記載の医用装置。
【請求項４】
前記画像保存部は、統合化宛先配下に前記保存ルールに基づく既存のファイルセットが存在しない場合は、前記保存ルールに基づいてファイルセットを生成する請求項３記載の医用装置。
【請求項５】
前記保存タスクの進捗状況および履歴をリスト表示する進捗・履歴リスト表示部を、さらに有する請求項３記載の医用装置。
【請求項６】
複数の外部システムが共有する保存ルールを記したファイルセットマニフェストに基づいて、前記外部保存メディア内に保存されるファイルセット検索のための検索シナリオを設定するシナリオ設定部をさらに有し、このファイルセットマニフェストは、前記外部システムが共有する所定のディレクトリ位置に配置される請求項４記載の医用装置。
【発明の詳細な説明】
【技術分野】
【０００１】
本発明の実施形態は、医用画像のアクセスを容易にする医用装置に関する。
【背景技術】
【０００２】
近年、ＵＳＢ(Universal Serial Bus)メモリやハードディスクの大容量化が進み、従来のＣＤ（Compact Disc）、ＤＶＤ(Digital Versatile Disc)等の光学メディアを代替するものとして使用される。特にネットワーク経由ドライブ（ＮＡＳ：Network Attached Storage）などのテラバイト級のボリュームを持つ大容量メディアがモダリティの外部保存メディアとして採用されつつある。
【０００３】
外部保存メディアはＤＩＣＯＭ（Digital Imaging and Communication in Medicine）規格に沿った論理構造に基づいて、インデックス(DICOMDIR)と、このインデックスに関連付けられた医用画像などのＤＩＣＯＭファイルからなるファイルセットで構成されている。モダリティは、このファイルセットにアクセスするためには、このファイルセットを自装置にマウントした後、ＤＩＣＯＭファイルの検索、リスト表示、読み出し、書き込みを行う必要がある。またアクセスが不必要なファイルセットにおいてはそれを解放（アンマウント）することなどが求められる。
【０００４】
通常、外部保存メディアでは１ボリューム内にファイルセットが１つである。しかし外部保存メディアが大容量である場合においてもファイルセットが一つしかないと、保存可能なＤＩＣＯＭファイル数の増加に伴ってインデックスの肥大化が生じる。これによりマウント、書き込み、読み出し、解放性能の悪化を招くという問題がある。
【０００５】
このインデックスの肥大化による性能悪化を防止するため、大容量の外部保存メディアでは１ボリューム内に複数のファイルセットを保持し、それぞれのファイルセットに対してインデックスファイルとファイルセットに属するＤＩＣＯＭファイルを配置することができる。
【０００６】
しかしＮＡＳのように、ネットワークに接続された他のシステムや複数のモダリティにより、インデックスファイルやＤＩＣＯＭファイルが任意時間で共有されることが想定される場合には、複数のファイルセットが動的に生成、更新、破棄される可能性がある。
【０００７】
一般的なモダリティでは、自装置に接続される外部保存メディアに対するファイルセットを静的な（または初期的な）設定により予めマウントしており、ＮＡＳのように、複数のファイルセットが動的に生成、更新、破棄されることを想定していない。従って、モダリティが静的に保持するファイルセット設定と、動的に変化する外部保存メディアのファイルセット設定との状態に不一致を生じる可能性がある。
【０００８】
さらには、他のシステムやモダリティが作成したファイルセットを自装置で認識するためには、手動にてファイルセットを追加し、マウントするという煩雑な手順が必要である。その上、複数のファイルセットが統一的なルールに基づかずに作成されると、所望のＤＩＣＯＭファイルがどこに保存されているかわからず、医用情報ファイルの検索の利便性が低下するという問題が生じる。
【０００９】
外部リムーバルメディアに対して複数の記憶領域に分割して管理するものとして以下の特許文献がある。
【先行技術文献】
【特許文献】
【００１０】
【特許文献１】特開２０１１−１２８７１６号公報
【発明の概要】
【発明が解決しようとする課題】
【００１１】
本発明が解決しようとする課題は、上記問題を解決し、医用画像などの医用情報ファイルへのアクセスを容易にする医用装置を提供することである。
【課題を解決するための手段】
【００１２】
上記課題を達成するために、本実施形態の医用装置は、複数のファイルセットで構成される外部保存メディアに対して、この外部保存メディア内の所望のファイルセットに統合的にアクセスするための静的なディレクトリ位置を表す統合化宛先を設定する統合化宛先設定部と、前記統合化宛先配下のファイルセットの宛先を動的に取得するファイルセット動的取得部と、前記統合化宛先、もしくは前記ファイルセット動的取得部で取得したファイルセットの宛先をリスト表示する宛先リスト表示部と、を有する。
【図面の簡単な説明】
【００１３】
【図１】本実施形態における医用装置システムの全体構成図。
【図２】第１の実施形態におけるファイルセット宛先のリスト表示を説明するフローチャート図。
【図３】外部保存メディアのディレクトリ構成を説明するための概念図。
【図４】ファイルセット宛先リストの表示例。
【図５】第２の実施形態における保存タスクに対する進捗・履歴リスト表示の例。
【図６】保存タスクに用いる保存ルールにファイルセット内のファイル数を指定した時のファイルセット保存例。
【図７】保存タスクに用いる保存ルールとしてファイルセットの最大保存容量を指定した時のファイルセット保存例。
【図８】保存タスクに用いる保存ルールとして日付別を指定した時のファイルセット保存例。
【図９】保存タスクに用いる保存ルールとして患者別を指定した時のファイルセット保存例。
【図１０】保存タスクに用いる保存ルールとして画像種別を指定した時のファイルセット保存例。
【図１１】保存タスクに用いる保存ルールとして負荷分散を指定した時のファイルセット保存例。
【図１２】第３の実施形態における外部システムが保存した医用画像を取得するためのフローチャート図。
【図１３】第４の実施形態において、保存タスクの進捗状況を通知領域に行う場合の説明図。
【図１４】保存履歴表示において、ファイルセット宛先のリストを患者別にリスト表示する場合の説明図。
【発明を実施するための形態】
【００１４】
以下、発明を実施するための実施形態について図１から図１４に示す図面を参照しながら詳細に説明する。本実施形態の医用装置は、ＤＩＣＯＭ規格に準拠したシステムであって、モダリティなどの医用装置に組み込まれたファイルシステムの利便性を向上させる。そしてＨＩＳ(Hospital Information System)、ＲＩＳ（Radiology Information System）、ＰＡＣＳ(Picture Archiving and Communication Systems)などのシステムと連携して構築することが可能であり、既存のシステムとの整合性が容易に得られる。
【００１５】
（第１の実施形態）
図１は、本実施形態における医用装置システムの全体構成図である。図１に示すように、医用装置１０、ネットワーク１１、外部保存メディア１２、及び外部システム１３を有している。本実施形態の医用装置１０は、ネットワーク１１に接続され、同ネットワーク１１に接続される外部保存メディア１２にアクセスしてファイルセット内の医用情報ファイル（ＤＩＣＯＭファイル）の読み出し、書き込みを行う。また、医用装置１０と同様のファイルセットアクセス機能を有する外部システム１３が、ネットワーク１１に接続され、外部保存メディア１２内のファイルセットを共有する。
【００１６】
医用装置１０は、統合化宛先設定部１０１、ファイルセット探索部１０２、ファイルセット動的取得部１０３、宛先リスト表示部１０４、画像保存部１０５、進捗・履歴リスト表示部１０６、保存ルール設定部１０７、およびシナリオ設定部１０８を有している。
【００１７】
統合化宛先設定部１０１は、外部保存メディア１２に存在する複数のファイルセットを統合して管理するための統合化宛先を静的に設定する。医用装置１０が外部保存メディア１２内に存在する複数のファイルセットにアクセスするためには、ファイルセットを自装置にマウントする必要がある。しかしネットワークに接続されたＮＡＳのような外部保存メディアの場合、他の外部システム１３が作成したファイルセットなどが多数混在し、さらには時間とともに、ファイルセットの追加・削除およびＤＩＣＯＭファイルの追加・削除が行われる。現在のＤＩＣＯＭ準拠のモダリティシステムではこのような状況を想定していなため、「外部保存メディア１２上にどのようなファイルセットが存在するか？」、「所望の医用画像が存在するファイルセットはどれか？」などのファイルセットに関する詳細情報をリアルタイムに取得することが困難である。しかも多数のファイルセットを手動にてマウントしていくことは非常に煩雑である。
【００１８】
本実施形態では、外部保存メディア１２のディレクトリ構成の内、動的には変化しないディレクトリ位置を統合化宛先と定義し、その統合化宛先配下の動的に変化するファイルセットを統合して管理する。以下では、動的には変化しないディレクトリ位置として、外部保存メディア１２のルート位置を統合化宛先とする場合について主に説明するが、これに限定されない。
【００１９】
ファイルセット探索部１０２は、外部保存メディア１２内に存在するファイルセットのディレクトリ構成の変化を監視・探索する。具体的には、外部保存メディア１２内に存在する全てのフォルダのディレクトリ構成を定期的もしくはフォルダやファイルの増減を検出してディレクトリ構成を取得する。そして取得したディレクトリ構成のうち、インデックスファイルを探し出し、そのインデックスファイルに関連付けられたファイルからなるファイルセットを識別する。本実施形態においては、１つのファイルセットを１つのフォルダ以下に格納する場合について説明する。すなわち、ある探索するフォルダ内にインデックスファイル（DICOMDIR）とインデックスファイルに関連付けられた医用情報ファイル（レポート・医用画像などのＤＩＣＯＭファイル）が同梱されている場合には、そのフォルダをファイルセットとして認識する。しかしこれは例示であって、１つのファイルセットを１つのフォルダに対応させなくてもよい。
【００２０】
ファイルセット動的取得部１０３は、ファイルセット探索部１０２で識別されたファイルセットを管理する。ファイルセットの追加、削除などの変化検出を基に、ファイルセットのマウント、解放動作、および有効なファイルセットの宛先リストを保持する。さらには画像保存部１０５と連携し、医用情報ファイルの保存タスクに対する進捗状況・履歴も管理する。
【００２１】
宛先リスト表示部１０４は、ファイルセット動的取得部１０３で管理されているファイルセット宛先をツリー表示およびドロップダウンリスト表示などの表示方法に従ってリスト表示を行う。
【００２２】
画像保存部１０５は、自装置で撮影された医用画像ファイルなどを保存する。もしくは、ネットワーク１１を介して外部保存メディア１２の医用情報ファイルを検索し、それを保存することができる。
【００２３】
進捗・履歴リスト表示部１０６は、ファイルセット動的取得部１０３が管理する保存タスクに対する進捗状況・履歴をリスト形式で表示する。
【００２４】
保存ルール設定部１０７は、自装置で撮影された医用画像などの医用情報ファイルを外部保存メディア１２に保存する場合に、統合化宛先配下に動的に作成されるファイルセットに対して保存ルールを設定し、この保存ルールに基づいて自動的に作成したファイルセット、または既存のファイルセットに対して医用情報ファイルを保存する。この保存ルールについては後述する。
【００２５】
シナリオ設定部１０８は、その他のモダリティなどの外部システム１３から外部保存メディア１２に作成されたファイルセットや、追加保存された医用画像ファイルなどを検索するために、検索条件を記載したシナリオを設定する。
【００２６】
図２は、ファイルセット宛先のリスト表示を説明するフローチャート図である。また、図３は、外部保存メディア１２のディレクトリ構成を説明するための概念図である。この図２および図３を用いてファイルセット宛先のリスト表示の説明を行う。
【００２７】
まず、ステップＳＴ２０１では、統合化宛先の静的設定を行う。図３では、外部保存メディア１２としてＮＡＳなどのネットワークドライブ１２Ａを仮定している。ネットワークドライブ１２Ａのディレクトリ構成は、ルート直下にファイルセット３１Ａ、３１Ｂ、フォルダ３２Ａ、３２Ｂ、イメージファイル（医用画像）３３Ａ、３３Ｂ、テキストファイル３４Ａ、３４Ｂおよびその他の各種フォーマットのファイル３５などが存在し、かつフォルダ３２Ｂ配下には、さらにファイルセット３１Ｃ、３１Ｄが存在する。そしてネットワークドライブ１２Ａ配下には、医用装置１０または外部システム１３から時々刻々、ファイルセットおよび医用情報ファイルの更新がなされる。
【００２８】
また、１つのファイルセットを１つのフォルダ内に構成する場合、例えばファイルセット３１Ａは、フォルダ名（ファイルセットＡ）を持ち、フォルダ内にはインデックスファイル３１１（DICOMDIR）とそのインデックスに関連付けられた医用情報ファイル３１２（イメージ１〜３など）が格納されている。
【００２９】
このようなディレクトリ構成において統合化宛先は、例えば符号３６Ａもしくは３６Ｂのディレクトリ位置が考えられる。統合化宛先３６Ａは、ネットワークドライブ１２Ａ直下のルート位置であり、統合化宛先３６Ｂは、フォルダ３２Ｂ配下のディレクトリ位置である。
【００３０】
例えば、ネットワークドライブ１２Ａが同一病院内のネットワークのみでアクセスされるのであれば、統合化宛先はネットワークドライブ１２Ａ直下のルート位置（符号３６Ａ）とすると利便性が良い。また、ネットワークドライブ１２Ａが地域連携病院間で運用、共有されるような場合には、病院毎にフォルダを割り当て、例えばフォルダ３２Ｂを自病院に割り当てる。このような場合には統合化宛先３６Ｂの方が、利便性が良い。このように、統合化宛先は、実施形態に応じて種々のディレクトリ位置に設定が可能である。本実施形態では、ネットワークドライブ１２Ａ直下に統合化宛先３６Ａを設定するものとして説明する。
【００３１】
次にステップＳＴ２０２では、ファイルセット探索部１０２は、統合化宛先配下のファイルセットに対して探索・監視を行う。すなわち、統合化宛先３６Ａ配下に存在するフォルダをディレクトリ構成に従ってフォルダを順次走査していき、そのフォルダ内にインデックスファイルが存在するか否かを探索する。そしてインデックスファイルが存在する場合にはそのフォルダをファイルセットとして識別する。
【００３２】
ファイルセットを監視するタイミングとしては、タイマーによる定期監視の他に、フォルダの追加・削除などのタイミングを検出し、それをトリガとしてファイルセット監視をおこなっても良い。
【００３３】
ステップＳＴ２０３では、ファイルセット動的取得部１０３は、ファイルセットの動的取得を行う。すなわち、ファイルセット探索部１０２において識別されたファイルセットに対して、ファイルセットの宛先リストを作成する。
【００３４】
図３を用いて具体的なファイルセット宛先リストについて説明する。統合化宛先を示す（１）「ネットワークドライブ」、その配下であるファイルセット宛先名（２）「ファイルセットＡ」、（３）「ファイルセットＢ」、フォルダＢ配下の（４）「フォルダＢ/ファイルセットＣ」、（５）「フォルダＢ/ファイルセットＤ」である。
【００３５】
ステップＳＴ２０４では、ファイルセット動的取得部１０３は、取得したファイルセット宛先リストに基づいてファイルセットの変化検出を行う。追加されたファイルセットについては自動的にマウントし、削除されたファイルセットについては自動的に解放するなどの動作を行い、同時にファイルセット宛先リストの更新を行う。この時、追加されたファイルセットをマウントするかどうかを適宜選択できるようにしてもよい。
【００３６】
ステップＳＴ２０５では、宛先リスト表示部１０４は、ファイルセット宛先リストのリスト表示を行う。図４はファイルセット宛先リストの表示例である。ファイルセット宛先リスト表示４０には、宛先欄４１、ファイルセット宛先リストの表示欄４２、ファイルセットへの保存ボタン４３などが表示されている。宛先欄４１に統合化宛先のネットワークドライブ１２Ａが表示され、その統合化宛先配下のファイルセットが折りたたみ式のツリー形式で表示されている。
【００３７】
医用装置１０で撮影した撮像画像をネットワークドライブ１２Ａに保存する場合は、統合化宛先あるいは保存先となるファイルセットを指定する。図４の場合は統合化宛先を指定している。「ネットワークドライブ」の項にチェックを入れ、保存ボタン４３を押すことで、「ネットワークドライブ」直下のディレクトリ位置に所定の保存ルールに従ったファイルセットが自動的に生成され、撮像画像がそのファイルセットに保存される。この保存ルールについては後述する。なお、保存ルールによっては、既に同一のファイルセット名が存在する場合があるが、その場合には既存のファイルセットに医用情報ファイルが保存される。
【００３８】
また、自動的に生成されたファイルセットは、画像保存部１０５からファイルセット動的取得部１０３に通知され、ファイルセット宛先リストの動的更新が行われる。
【００３９】
宛先欄４１はプルダウンリストとなっており、ファイルセット宛先リスト表示欄４２に表示されるファイルセットが選択できるようになっているため、プルダウンリストで保存すべきファイルセット宛先を選択して医用情報ファイルを保存することもできる。ファイルセット宛先を選択した場合には、ファイルセットは自動的に生成されず、選択したファイルセット内に医用情報ファイルが保存される。
【００４０】
また、ファイルセットがマウント中である場合には、ファイルセットＣのようにマウント中を示す記号「＊印」などを記して操作者に注意喚起を行ってもよい。
【００４１】
以上のべたように、従来のモダリティにおいては、自装置に接続される保存装置にはファイルセットが１つであり、そのファイルセットを初期設定時などに静的にマウントしておけば事足りる状況であった。すなわち、第１の実施形態によれば、他のシステムや複数のモダリティによりインデックスファイルやＤＩＣＯＭファイルが任意時間で共有され、複数のファイルセットが動的に生成、更新、破棄される場合にも対応が可能となる。すなわち、統合化宛先を設定し、その統合化宛先配下のファイルセットを定期的に監視、探索する。そしてファイルセットが追加された場合には自動的にマウントし、ファイルセットが削除された場合には解放することができる。またファイルセット宛先リストに表示される多数のファイルセットを直接選択することなく、統合化宛先を指定するだけで、所定の保存ルールに従ったファイルセットが自動的に生成され医用情報ファイルを保存することができる。
【００４２】
（第２の実施形態）
本実施形態では、外部保存メディアに対して医用情報ファイルを保存するタスク（以下保存タスクと称する）の進捗・履歴リスト表示と、保存タスクの保存ルールについて説明する。
【００４３】
図５は、保存タスクに対する進捗・履歴リスト表示５０の例である。保存タスクに対する進捗・履歴リスト表示は、進捗・履歴リスト表示部１０６にて処理され、図示しないモニタに表示される。図５に示す進捗・履歴リスト表示は、外部保存メディアの種別を表す種別タブ５１、統合化宛先またはその配下のファイルセットの宛先を示す宛先欄５２、保存タスクの進捗・履歴を示す進捗・履歴リスト表示欄５３などが表示される。
【００４４】
外部保存メディアを選択する種別タブ５１では、医用装置１０に直接ローカル接続されている外部保存メディアか、ネットワーク１１を経由して接続されている外部保存メディア１２かを選択できる。この例では外部保存メディアの種別タブ５１として「ネットワーク」タブが選択されており、宛先欄５２には、統合化宛先の「ネットワークドライブ」１２Ａが選択されている。
【００４５】
この時、ファイルセット宛先リスト表示４０で、宛先を指定して実行した保存タスクの進捗・履歴状況が進捗・履歴リスト表示欄５３にリスト表示される。
【００４６】
進捗・履歴リスト表示欄５３には、進捗状況を示す「ステータス」、保存する医用情報ファイルの「患者名」、保存先の「ファイルセット名」、保存タスクの実行時間を示す「転送日時」、保存タスクの「転送率」、緊急患者に対してファイル転送の優先を示す「優先度」、またファイルセットの「総量」、「使用量」、「残量」などの項目が表示される。
【００４７】
例えば、患者Ａの保存タスクは、現在のステータスが「Ｑｕｅｕｅｄ」であり順番待ちの状態にある。この時、保存先として統合化宛先が指定されている場合には、まだ保存先のファイルセットが決定されていないため未定「―」である。保存タスクを実行した転送日時は、２０１３／５／１５  １４：３７：２５であり、保存タスクの「転送率」は０％である。優先度は標準を示す「Ｎ」である。ファイルセットの「総量」、「使用量」、「残量」は、この段階ではファイルセットが決定されていないため、すべて未定「―」となる。
【００４８】
患者Ｂの保存タスクでは、現在のステータスが「Ａｃｔｉｖｅ」であり転送の状態にある。この時には所定の保存ルールに従って保存先のファイルセットが決定し例えば「ファイルセットＢ」が表示される。保存タスクを実行した転送日時は、２０１３／５／１５  １３：２４：２５であり、保存タスクの「転送率」は５５％である。優先度は緊急を示す「Ｕ」であるが、この場合、順番待ちの順番を繰り上げる処理や、保存ルールにおいて高速通信を選択する処理を行うことができる。ファイルセットの「総量」１０ＧＢに対して「使用量」は４．３ＧＢであり、「残量」は５．７ＧＢである。
【００４９】
患者Ｄの保存タスクでは、現在のステータスが「Ｃｏｍｐｌｅｔｅｄ」であり転送が完了したことを示している。患者Ｂの場合と同じく、所定の保存ルールに従って保存先のファイルセットが決定し「ファイルセットＢ」が表示される。保存タスクを実行した転送日時は、２０１３／５／１０  １０：０５：５５であり、保存タスクの「転送率」は１００％である。優先度は標準を示す「Ｎ」である。ファイルセットの「総量」１０ＧＢに対して「使用量」は９．８ＧＢであり、「残量」は０．２ＧＢである。このように、ファイルセットが満杯の場合には、次の保存タスクでは、保存ルールに基づき新たなファイルセットが作成される。患者Ｅの保存タスクについては、患者Ｄとほぼ同じなため、説明を省略する。
【００５０】
このように、各保存タスクの進捗状況と保存履歴がリスト表示される。なお、宛先欄５２はプルダウンリスト形式になっており、例えばファイルセットＢをプルダウンリストから選択することにより、この例では患者Ｂと患者Ｄの進捗・履歴リストのみを選択して表示することが可能である。なお、この進捗・履歴リスト表示において患者名を選択できるようなプルダウンリストを配置してもよい。
【００５１】
図６から図１１は、保存タスク実行時に用いる各種保存ルールに基づいて作成されるファイルセット例である。図６〜図１０までの保存タスクは、医用情報ファイル（イメージファイル）６０００枚で医用情報ファイルの総サイズは８．２ＧＢとする。図１に示すように、保存ルール設定部１０７において、保存タスクに適用される保存ルールが設定される。この保存ルールに基づいて画像保存部１０５は、必要に応じて新たなファイルセットを外部保存メディア１２の統合化宛先配下に作成し、保存タスクを実行する。
【００５２】
図６は、保存ルールとしてファイルセット内の医用情報ファイル数を２０００枚と設定した時の例である。医用装置１０（モダリティ）から実行される保存タスクによって、ネットワークドライブ１２Ａ上には、３つのファイルセット（ＦｉｌｅＳｅｔ＿ＩＤＸ＿２０１２１２０１Ａ〜ＦｉｌｅＳｅｔ＿ＩＤＸ＿２０１２１２０１Ｃ）が作成され、各ファイルセットにはインデックスファイルとそのインデックスファイルに関連付けられた医用情報ファイルが２０００枚ずつ格納される。
【００５３】
図７は、保存ルールとしてファイルセットの最大保存容量を４ＧＢと設定した時の例である。モダリティから実行される保存タスクによって、ネットワークドライブ１２Ａ上には、３つのファイルセット（ＦｉｌｅＳｅｔ＿ＶＯＬ＿２０１２１２０１Ａ〜ＦｉｌｅＳｅｔ＿ＶＯＬ＿２０１２１２０１Ｃ）が作成され、各ファイルセットにはインデックスファイルとそのインデックスファイルに関連付けられた医用情報ファイルの保存容量が最大４ＧＢとなるように順番に格納される。この例の場合、ファイルセットＦｉｌｅＳｅｔ＿ＶＯＬ＿２０１２１２０１ＡおよびファイルセットＦｉｌｅＳｅｔ＿ＶＯＬ＿２０１２１２０１Ｂは最大保存容量の４ＧＢであり、最後のファイルセットＦｉｌｅＳｅｔ＿ＶＯＬ＿２０１２１２０１Ｃは０．２ＧＢの保存容量である。
【００５４】
図８は、保存ルールを日付別に設定した時の例である。保存タスクの総容量は同じであるが、３つの保存タスク（２月２日の２０００枚（２ＧＢ）、２月５日の３０００枚（４．５ＧＢ）、および２月７日の１０００枚（１．７ＧＢ））に分割されて実行される。
【００５５】
このモダリティから実行される保存タスクによって、ネットワークドライブ１２Ａ上には、３つのファイルセット（ＦｉｌｅＳｅｔ＿ＤＡＹ＿２０１３０２０２、ＦｉｌｅＳｅｔ＿ＤＡＹ＿２０１３０２０５、およびＦｉｌｅＳｅｔ＿ＤＡＹ＿２０１３０２０７）が作成され、各ファイルセットにはインデックスファイルとそのインデックスファイルに関連付けられた日付別の医用情報ファイルがそれぞれのファイルセットに格納される。なお、日付別の保存ルールに加えて、最大保存容量なども組み合わせることができる。最大保存容量を４ＧＢとした時は、２月５日の保存タスクに対し、２つのＦｉｌｅＳｅｔ＿ＤＡＹ＿２０１３０２０５Ａ（４ＧＢ）、ＦｉｌｅＳｅｔ＿ＤＡＹ＿２０１３０２０５Ｂ（０．５ＧＢ）に自動的に分割される。
【００５６】
図９は、保存ルールを患者別に設定した時の例である。保存タスクの総容量は同じであるが、４つの保存タスク（患者ＩＤ＝０１４３  ８００枚（１ＧＢ）、患者ＩＤ＝０１５５  １５００枚（２ＧＢ）、患者ＩＤ＝０６ＡＣ  ３２００枚（２ＧＢ）、および患者ＩＤ＝Ｂ４４３  ５００枚（３．２ＧＢ））分割されて実行される。
【００５７】
このモダリティから実行される保存タスクによって、ネットワークドライブ１２Ａ上には、４つのファイルセット（ＦｉｌｅＳｅｔ＿ＰＩＤ＿０１４３、ＦｉｌｅＳｅｔ＿ＰＩＤ＿０１５５、ＦｉｌｅＳｅｔ＿ＰＩＤ＿０６ＡＣ、およびＦｉｌｅＳｅｔ＿ＰＩＤ＿Ｂ４４３）が作成され、各ファイルセットにはインデックスファイルとそのインデックスファイルに関連付けられた患者別の医用情報ファイルがそれぞれのファイルセットに格納される。なお、患者別の保存ルールに加えて、最大医用情報ファイル数なども組み合わせることができ、最大保存枚数を２０００枚とした時は、患者ＩＤ＝０６ＡＣの保存タスクに対し、２つのＦｉｌｅＳｅｔ＿ＰＩＤ＿０６ＡＣ＿Ａ（２０００枚）、ＦｉｌｅＳｅｔ＿ＰＩＤ＿０６ＡＣ＿Ｂ（１２００枚）に自動的に分割される。
【００５８】
図１０は、保存ルールを画像種別に設定した時の例である。この画像種別は、保存期限によって分類してもよい。例えば、診断に用いたキー画像や診断レポート（Ｋｅｙ）のような比較的容量は小さいが長期保存を必要とするもの、また大容量の医用画像データに対しては、モダリティで撮影した生データや再構成直後のデータ（Ｏｒｉｇｉｎａｌ）などを長期保存とし、この生データや再構成直後のデータから派生して生成できる画像データ（Ｄｅｒｉｖｅｄ）などは短期保存とする。この場合、３つの保存ルール（キー画像、レポートなど（０．３ＧＢ）、ＯＲＩＧＩＮＡＬ画像（４．３ＧＢ）、およびＤＥＲＩＶＥＤ画像（３．６ＧＢ））に基づいて３つのファイルセットに振り分けられる。
【００５９】
このモダリティから実行される保存タスクによって、ネットワークドライブ１２Ａ上には、３つのファイルセット（ＦｉｌｅＳｅｔ＿ＫＥＹ＿２０１３０２ＫＩＮ、ＦｉｌｅＳｅｔ＿ＯＲＧ＿２０１３０２Ａ、およびＦｉｌｅＳｅｔ＿ＤＥＲ＿２０１３０２Ａ）が作成され、各ファイルセットにはインデックスファイルとそのインデックスファイルに関連付けられた画像種別の医用情報ファイルがそれぞれのファイルセットに格納される。
【００６０】
図１１は、保存ルールを負荷分散に設定した時の例である。この負荷分散は、ネットワークドライブ１２ＡがＲＡＩＤ(Redundant Arrays of Inexpensive Disks)システムで構成され、複数のハードディスクが並列に保存タスク処理できる場合（例えばＲＡＩＤ５構成の場合）に有効である。保存タスクは、医用情報ファイル（イメージファイル）を１００００枚とし、その容量が３０ＧＢであるとする。この時、ＲＡＩＤシステムが５つのハードディスクで並列分散駆動される場合には、各ハードディスクに対し、ファイルセットが分割され、ＦｉｌｅＳｅｔ＿ＬＤＢ＿２０１３ＶＳＡ〜ＦｉｌｅＳｅｔ＿ＬＤＢ＿２０１３ＶＳＥに分割されて格納される。以上示したファイルセットの名前は後述するシナリオ設定の時に検索効率が高くなるような名称であることが好ましい。
【００６１】
以上述べたように、第２の実施形態によれば、統合化宛先配下に対して、各種保存ルールを設定してファイルセットを作成し、そのファイルセット内に医用情報ファイルを保存することが可能となる。また、保存タスクの進捗・履歴管理が行える。
【００６２】
（第３の実施形態）
本実施形態では、他の外部システムが作成したファイルセットおよび外部システムが保存した医用情報ファイルを検索することにについて説明する。ＮＡＳ等の外部保存メディア１２には、他のモダリティなどの外部システムから保存された医用情報ファイルやファイルセットが存在するが、自装置側にはその保存履歴がない。効率的な医用情報ファイルの探索のためには、いずれのファイルセットに目的の医用情報群が存在するかの類推が必要である。このため、予め自装置（医用装置１０）と外部システム１３の間で（すなわちネットワーク１１に接続されたモダリティ間で）ファイルセット保存ルールを共有することにより、自装置側に医用画像ファイルの保存履歴が無い場合の画像探索の類推を可能とする。このファイルセット保存ルールは、例えば外部保存メディア１２の統合化宛先直下のディレクトリ位置に格納し、このファイルセット保存ルールのことをここではファイルセットマニフェストと呼ぶことにする。ただし、このファイルセットマニフェストのディレクトリ位置は統合化宛先直下に限られない。好ましくは運用上の観点から、複数の外部システムが共有する最適なディレクトリ位置に配置する。
【００６３】
図１２は、外部システムが保存した医用画像を取得するためのフローチャート図である。
【００６４】
まずステップＳＴ１２０１では、外部保存メディア１２（ネットワークドライブ１２Ａ）の統合化宛先直下のディレクトリ位置にファイルセットマニフェストを置く。ここでは、ファイルセットマニフェストとして「日付別」を採用する。ファイルセットマニフェストを記載したテキストファイルには、例えば次のように記載される。
【００６５】
<FileSetRule value=“DAY”/>
ステップＳＴ１２０２では、外部システム１３は、医用画像を外部保存メディア１２に保存するにあたり、ファイルセット保存ルールを確認する目的でファイルセットマニフェストを読み出す。
【００６６】
そして、ステップＳＴ１２０３では、ファイルセット保存ルールに従ったファイルセットを動的に作成して医用画像を保存するか、ファイルセット保存ルールに従った既存のファイルセットを選択して医用画像を保存する。ここでは、ＦｉｌｅＳｅｔ＿ＤＡＹ＿２０１３０２０２内に医用画像が保存される。
【００６７】
ステップＳＴ１２０４では、医用装置１０は、外部システム１３が保存した医用画像を外部保存メディア１２から読み出すにあたり、ファイルセット保存ルールを確認する目的でファイルセットマニフェストを読み出す。
【００６８】
ステップＳＴ１２０５では、検索のためのシナリオを設定する。ステップＳＴ１２０４で読み出したファイルセットマニフェストは「日付別」であることから、シナリオの例として、「外部システム１３にある２０１３年２月２日撮影の患者Ａの医用画像」を設定する。
【００６９】
ステップＳＴ１２０６では、２０１３年２月２日のファイルセット（ＦｉｌｅＳｅｔ＿ＤＡＹ＿２０１３０２０２）が選択される。
【００７０】
ステップＳＴ１２０７では、ファイルセット（ＦｉｌｅＳｅｔ＿ＤＡＹ＿２０１３０２０２）内に格納されているインデックスファイルを展開する。
【００７１】
そしてステップＳＴ１２０８では、展開したインデックスファイルから患者Ａに対する医用画像のリンク先を取得することで、画像保存部１０５は、２０１３年２月２日撮影の患者Ａの医用画像を外部保存メディア１２から読み出すことが可能となる。
【００７２】
以上述べたように、ネットワーク１１に接続されるモダリティに共通のファイルセット保存ルールを共有することにより、他モダリティで保存した医用情報ファイルの検索の利便性が向上する。例えば、自装置で被写体を撮影する前、あるいは撮像済みの画像を閲覧する時に、過去の同一患者の撮像画像を見たい場合がある。このような場合において、所望の医用装置で撮影・保存した医用情報ファイルに容易にアクセスすることが可能となる。
【００７３】
（第４の実施形態）
第１の実施形態においては、ファイルセット宛先リスト表示について説明し、第２の実施形態においては、保存タスクの進捗・履歴リスト表示について説明した。本実施形態は、保存タスクのその他の表示方法について説明する。
【００７４】
図１３は、保存タスクの進捗状況を通知領域に行う場合の説明図である。図１３は超音波診断装置上において、被写体の撮像を行っている画面である。この撮像画面上部には、保存タスクの通知領域１３１があり、保存タスクが終了した場合に、「この画像はファイルセットＡに保存されました。」などの通知が行われる。保存タスク完了通知だけでなく、図５に示す項目、例えば現在の転送率やステータスなども表示されてもよい。
【００７５】
図１４は、保存履歴表示において、保存先のファイルセット宛先のリストを患者別にリスト表示する場合の説明図である。この履歴表示においては、患者を選択する患者欄１４１、閲覧したい外部保存メディア１２のファイルセット宛先を選択するファイルセット宛先リスト表示欄１４２、選択した患者に対する保存履歴をリスト表示する保存履歴リスト表示欄１４３、画像閲覧のための画像表示ボタン１４４を有している。
【００７６】
患者欄１４にて患者Ａを選択し、ファイルセット宛先リスト表示欄１４２にてネットワークドライブ１２Ａを選択する。ファイルセット宛先リスト表示欄１４２のドロップダウンリストは、図４で示したファイルセット宛先が選択可能である。保存履歴リスト表示欄１４３から所望のファイルセットを選択し、画像表示ボタン１４４を押すことにより、選択したファイルセット内の医用情報を閲覧することが可能となる。
【００７７】
以上述べたように、第４の実施形態によれば、ネットワーク接続された大容量の外部保存メディアに対しても、各種表示が可能となる。
【００７８】
以上述べた本実施形態によれば、大容量の外部保存メディアが持つ複数ファイルセットに対して、それぞれの宛先設定に対する煩雑さをなくすことができる。また外部システムなどの外的要因で刻々と変化するファイルセットの状態に対し、医用情報ファイルの読み出しや保存対象の宛先リストを柔軟に更新できる。そして大容量な外部保存メディアに対し、ユーザはその統合化宛先を指定することで、自動的にユーザ運用に則したファイルセットを作成できる。さらには実際に保存したファイルセットを保持、表示できるため、保存先の確認が容易になり、例えば過去検査画検索において、簡単なシナリオを設定することにより検索時間を短縮することができる。このように大容量外部保存メディアの医用情報ファイルへのアクセスが容易でユーザの利便性が向上した医用装置が提供可能となる。
【００７９】
なお、実施形態では、外部保存メディアは１つとして説明したが、複数の外部保存メディアがネットワークに接続されていてもよい。また、外部保存メディアは必ずしもネットワーク接続されなくてもよい。
【００８０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８１】
１０…医用装置、
１１…ネットワーク、
１２…外部保存メディア、
１３…外部システム、
１０１…統合化宛先設定部、
１０２…ファイルセット探索部、
１０３…ファイルセット動的取得部、
１０４…宛先リスト表示部、
１０５…画像保存部、
１０６…進捗・履歴リスト表示部、
１０７…保存ルール設定部、
１０８…シナリオ設定部。
【図１】
2015041129.tif 000003
【図２】
2015041129.tif 000004
【図３】
2015041129.tif 000005
【図４】
2015041129.tif 000006
【図５】
2015041129.tif 000007
【図６】
2015041129.tif 000008
【図７】
2015041129.tif 000009
【図８】
2015041129.tif 000010
【図９】
2015041129.tif 000011
【図１０】
2015041129.tif 000012
【図１１】
2015041129.tif 000013
【図１２】
2015041129.tif 000014
【図１３】
2015041129.tif 000015
【図１４】
2015041129.tif 000016